(57)【要約】【課題】  本発明は、作業性良く施工することが可能であり、下地材や外壁パネル取付用金具５との干渉を抑えることができる外壁目地の２次防水部材１を提供する。【解決手段】  外壁目地の２次防水部材１は、外壁パネル３ａ、３ｂ間の縦目地の屋内側に収納されて、該縦目地から屋内側に水が浸入することを抑止する外壁目地の２次防水部材１であって、柔軟性及び防水性を有し、長尺に形成されて、幅方向の一端１９が外壁パネル３ａの前記縦目地に面する屋内面２１の縁に水密性を有し接着される第１シート体１７と、柔軟性及び防水性を有し、長尺に形成されて、幅方向の一端２０が外壁パネル３ｂの前記縦目地に面する屋内面２１の縁に水密性を有し接着されると共に、幅方向の他端２３が第１シート体１７の幅方向の他端２２と水密性を有し接合される第２シート体１８と、を備える。【選択図】図１
2011174323.tif 000002
【特許請求の範囲】
【請求項１】
外壁パネル間の縦目地の屋内側に収納されて、該縦目地から屋内側に水が浸入することを抑止する外壁目地の２次防水部材であって、
柔軟性及び防水性を有し、長尺に形成されて、幅方向の一端が一方の前記外壁パネルの前記縦目地に面する屋内面の縁に水密性を有し接着される第１シート体と、
柔軟性及び防水性を有し、長尺に形成されて、幅方向の一端が他方の前記外壁パネルの前記縦目地に面する屋内面の縁に水密性を有し接着されると共に、幅方向の他端が前記第１シート体の幅方向の他端と水密性を有し接合される第２シート体と、を備えることを特徴とする外壁目地の２次防水部材。
【請求項２】
前記第１シート体と前記第２シート体とは少なくとも可視光を透過可能であることを特徴とする請求項１に記載の外壁目地の２次防水部材。
【請求項３】
前記第１シート体及び前記第２シート体夫々の幅方向の他端は、前記縦目地の屋外側に露出可能に構成されることを特徴とする請求項１又は請求項２に記載の外壁目地の２次防水部材。
【請求項４】
外壁パネル間の縦目地よりも幅広に形成された弾性体により形成され、前記縦目地に圧入されて保持される１次防水部材と、
前記縦目地の屋内側に収納された２次防水部材と、を備える外壁目地の２重防水構造であって、
前記２次防水部材は、柔軟性及び防水性を有し、長尺に形成されて、幅方向の一端が一方の前記外壁パネルの前記縦目地に面する屋内面の縁に水密性を有し接着される第１シート体と、
柔軟性及び防水性を有し、長尺に形成されて、幅方向の一端が他方の前記外壁パネルの前記縦目地に面する屋内面の縁に水密性を有し接着されると共に、幅方向の他端が前記第１シート体の幅方向の他端と水密性を有し接合される第２シート体と、を具備することを特徴とする外壁目地の２重防水構造。
【請求項５】
前記第１シート体と前記第２シート体とは少なくとも可視光を透過可能であることを特徴とする請求項４に記載の外壁目地の２重防水構造。
【請求項６】
前記第１シート体及び前記第２シート体夫々の幅方向の他端は、前記縦目地の屋外側に露出可能に構成されることを特徴とする請求項４又は請求項５に記載の外壁目地の２重防水構造。
【請求項７】
建物に固定する前の２枚の外壁パネルのうち、一方の前記外壁パネルには屋内面の縁に柔軟性及び防水性を有し長尺に形成される第１シート体の幅方向の一端を水密性を有し接着すると共に屋外面の縁に前記第１シート体の幅方向の他端を剥離可能に接着し、他方の前記外壁パネルには屋内面の縁に柔軟性及び防水性を有し長尺に形成される第２シート体の幅方向の一端を水密性を有し接着すると共に屋外面の縁に前記第２シート体の幅方向の他端を剥離可能に接着し、
次に、前記第１シート体が接着された縁と前記第２シート体が接着された縁との間に縦目地が形成されるように一方及び他方の前記外壁パネルを前記建物に固定し、
次に、前記縦目地の屋外側において前記第１シート体の幅方向の他端及び前記第２シート体の他端を前記外壁パネルから剥離すると共に水密性を有し接合して前記縦目地の屋内側に収納し、
次に、前記縦目地よりも幅広に形成された弾性体からなる１次防水部材を、屋外側から前記縦目地の間に圧入することを特徴とする外壁目地の２重防水構造施工方法。
【発明の詳細な説明】
【技術分野】
【０００１】
本発明は、外壁パネル間の縦目地から屋内側に水が侵入することを抑止する外壁目地の２次防水部材、この外壁目地の２次防水部材を用いた外壁目地の２重防水構造、及びこの外壁目地の２重防水構造の施工方法に関する。
【背景技術】
【０００２】
従来より、複数の互いに隣接する外壁パネル間に形成される目地から建物内部に風雨などが侵入することを防ぎ、且つ、建物の外観を良好に保つために、乾式の外壁目地ガスケットが用いられる。外壁目地ガスケットは、例えばポリ塩化ビニル等の水密性及び弾性を有する材料で形成され、目地の幅よりもやや幅広の長手形状であって、屋外側から目地に圧入して固定するものである。
【０００３】
このような外壁目地ガスケットにおいては、防水性をさらに高めるために、例えば図１１（Ａ）に示すように、対向する垂直板を底板部に立設して嵌着溝を形成してなるベース目地材１０１と、該ベース目地材１０１の嵌着溝１０６に嵌入する凸条１０３を筒形中空状のシール部１０４に垂設すると共に、シール部１０４のシール面にシリコン系被覆層を形成し、かつ、シール部１０４の下端部を目地幅に合わせて肉厚に形成してなるトップ目地材１０２とからなる外壁目地ガスケット１００が提案されている（特許文献１参照）。
【０００４】
このように構成することで外壁目地ガスケット１００は、図１１（Ｂ）に示すように、シール部１０４の防水性による一次防水に加えて、ベース目地材１０１が外壁パネル１０５の裏面１０５ａに当接密着することによって、二次防水を行うことができ、より防水効果を高めることができる。
【先行技術文献】
【特許文献】
【０００５】
【特許文献１】特開２００３−７４１３０号公報
【発明の概要】
【発明が解決しようとする課題】
【０００６】
しかし、上述のような外壁目地ガスケット１００においては、ベース目地材１０１の幅が外壁目地の目地幅よりも広くなるので、ベース目地材１０１を外壁目地から屋内側に挿入することが困難であり、建物の屋内側からベース目地材１０１を取り付ける作業をする必要がある。したがって、外壁パネル１０５の屋内側に配置される下地材や外壁パネル取付用金具等が邪魔になって、ベース目地材１０１を取り付ける作業が困難となる場合も多かった。
【０００７】
また、ベース目地材１０１と外壁の下地材や外壁パネル取付用金具等とが狭い空間を取り合うことになるので、外壁パネル１０５の屋内側の空間の厚みによってはこのベース目地材１０１を設置することができない場合もあった。
【０００８】
そこで、本発明は、作業性良く施工することが可能であり、下地材や外壁パネル取付用金具との干渉を抑えることができる外壁目地の２次防水部材、この外壁目地の２次防水部材を用いる外壁目地の２重防水構造、及びその施工方法を提供することを目的とする。
【課題を解決するための手段】
【０００９】
請求項１に記載の外壁目地の２次防水部材は、外壁パネル間の縦目地の屋内側に収納されて、該縦目地から屋内側に水が浸入することを抑止する外壁目地の２次防水部材であって、柔軟性及び防水性を有し、長尺に形成されて、幅方向の一端が一方の前記外壁パネルの前記縦目地に面する屋内面の縁に水密性を有し接着される第１シート体と、柔軟性及び防水性を有し、長尺に形成されて、幅方向の一端が他方の前記外壁パネルの前記縦目地に面する屋内面の縁に水密性を有し接着されると共に、幅方向の他端が前記第１シート体の幅方向の他端と水密性を有し接合される第２シート体と、を備えることを特徴としている。
【００１０】
請求項２に記載の外壁目地の２次防水部材は、前記第１シート体と前記第２シート体とは少なくとも可視光を透過可能であることを特徴としている。
【００１１】
なお、ここで「可視光を透過可能」とは、可視光を１００パーセント透過することができるものに限られず、第１シート体及び第２シート体の裏側に設置された部材を視認することができる程度に透明または半透明であればよい。
【００１２】
請求項３に記載の外壁目地の２次防水部材は、前記第１シート体及び前記第２シート体夫々の幅方向の他端は、前記縦目地の屋外側に露出可能に構成されることを特徴としている。
【００１３】
請求項４に記載の外壁目地の２重防水構造は、外壁パネル間の縦目地よりも幅広に形成された弾性体により形成され、前記縦目地に圧入されて保持される１次防水部材と、前記縦目地の屋内側に収納された２次防水部材と、を備える外壁目地の２重防水構造であって、前記２次防水部材は、柔軟性及び防水性を有し、長尺に形成されて、幅方向の一端が一方の前記外壁パネルの前記縦目地に面する屋内面の縁に水密性を有し接着される第１シート体と、柔軟性及び防水性を有し、長尺に形成されて、幅方向の一端が他方の前記外壁パネルの前記縦目地に面する屋内面の縁に水密性を有し接着されると共に、幅方向の他端が前記第１シート体の幅方向の他端と水密性を有し接合される第２シート体と、を具備することを特徴としている。
【００１４】
請求項５に記載の外壁目地の２重防水構造は、前記第１シート体と前記第２シート体とは少なくとも可視光を透過可能であることを特徴としている。
【００１５】
請求項６に記載の外壁目地の２重防水構造は、前記第１シート体及び前記第２シート体夫々の幅方向の他端は、前記縦目地の屋外側に露出可能に構成されることを特徴としている。
【００１６】
請求項７に記載の外壁目地の２重防水構造施工方法は、建物に固定する前の２枚の外壁パネルのうち、一方の前記外壁パネルには屋内面の縁に柔軟性及び防水性を有し長尺に形成される第１シート体の幅方向の一端を水密性を有し接着すると共に屋外面の縁に前記第１シート体の幅方向の他端を剥離可能に接着し、他方の前記外壁パネルには屋内面の縁に柔軟性及び防水性を有し長尺に形成される第２シート体の幅方向の一端を水密性を有し接着すると共に屋外面の縁に前記第２シート体の幅方向の他端を剥離可能に接着し、次に、前記第１シート体が接着された縁と前記第２シート体が接着された縁との間に縦目地が形成されるように一方及び他方の前記外壁パネルを前記建物に固定し、次に、前記縦目地の屋外側において前記第１シート体の幅方向の他端及び前記第２シート体の他端を前記外壁パネルから剥離すると共に水密性を有し接合して前記縦目地の屋内側に収納し、次に、前記縦目地よりも幅広に形成された弾性体からなる１次防水部材を、屋外側から前記縦目地の間に圧入することを特徴としている。
【発明の効果】
【００１７】
請求項１に記載の外壁目地の２次防水部材によると、縦目地の屋内側に収納された時に、柔軟性、防水性を有する帯状の第１シート体及び第２シート体の夫々の幅方向の一端が、２枚の外壁パネル夫々の縦目地に面する屋内面の縁に水密性を有し接着され、更に第１シート体及び第２シート体の夫々の幅方向の他端が、水密性を有し接合されるので、縦目地を屋内側から覆うことができ、確実に縦目地からの水の侵入を防ぐことができる。また、第１シート体及び第２シート体夫々の幅方向の一端の外壁パネルへの接着は、外壁パネルを建物に固定する前に行うことができる。更に、第１シート体及び第２シート体の夫々の幅方向の他端の接合は、外壁パネルを建物固定した後に行うことができる。以上に基づき、本２次防水部材は、作業性良く施工することができる。
【００１８】
また、この２次防水部材によると、下地材や外壁パネル取付用金具が設置される位置に柔軟性を有する第１シート体及び第２シート体が設置されるので、これらを柔軟に変形させることにより、２次防水部材と、下地材や外壁パネル取付用金具との干渉を抑えることができる。
【００１９】
請求項２に記載の外壁目地の２次防水部材によると、第１シート体及び第２シート体が可視光を透過可能であるので、それらの屋内側に配置されている外壁パネル取付用金具を視認することができる。これにより、２次防水部材よりも後に取り付ける１次防水部材の外れ防止用の突起部材の取付け位置が外壁パネル取付用金具と重ならないように調整することができる。
【００２０】
請求項３に記載の外壁目地の２次防水部材によると、第１シート体及び第２シート体の幅方向の他端が縦目地より屋外側に露出可能であることにより、第１シート体及び第２シート体の他端同士の接合を屋外側でできるので、作業性がより高まる。また、第１シート体及び第２シート体は、夫々の他端が上記縦目地より屋外側に露出可能であることに基づき、十分な幅を有しているので２次防水部材と下地材や外壁パネル取付用金具との干渉をより確実に抑えることができる。
【００２１】
請求項４に記載の外壁目地の２重防水構造によると、２次防水部材が縦目地を屋内側から覆うので、確実に縦目地からの水の侵入を防ぐことができる。また、下地材や外壁パネル取付用金具が設置される位置に柔軟性を有する第１シート体及び第２シート体が設置されるので、シート体を柔軟に変形させることにより、２次防水部材と、下地材や外壁パネル取付用金具との干渉を抑えることができる。
【００２２】
請求項５に記載の外壁目地の２重防水構造によると、第１シート体及び第２シート体が可視光を透過可能であるので、２次防水部材よりも後に取り付ける１次防水部材の外れ防止用の突起部材の取付け位置が外壁パネル取付用金具と重ならないように調整することができる。
【００２３】
請求項６に記載の外壁目地の２重防水構造によると、第１シート体及び第２シート体の幅方向の他端が縦目地より屋外側に露出可能であることにより、第１シート体及び第２シート体の他端同士の接合を屋外側でできるので、より２次防水を行う際の作業性が高まる。また、第１シート体及び第２シート体は、十分な幅を有しているので２次防水部材と下地材や外壁パネル取付用金具との干渉をより確実に抑えることができる。
【００２４】
請求項７に記載の外壁目地の２重防水構造施工方法によると、建物に固定する前の外壁パネルの屋内面の縁に、第１シート体及び第２シート体夫々の幅方向の一端を水密性を有し接着し、併せて第１シート体及び第２シート体夫々の幅方向の他端を剥離可能に接着し、次に、第１シート体及び第２シート体夫々の幅方向の他端を、外壁パネルを建物に固定した後に建物の外側で接合し、次に、接合された第１シート体及び第２シート体を縦目地の屋内側に収納し、次に、縦目地よりも幅広に形成された弾性体からなる１次防水部材を屋外側から縦目地の間に圧入することができるので、極めて作業性良く外壁目地の２重防水構造を施工することができる。
【図面の簡単な説明】
【００２５】
【図１】２重防水構造の全体構成を説明する外壁縦目地の水平断面図。
【図２】１次防水部材の外観構成を説明する一部省略斜視図。
【図３】２次防水部材の外観構成を説明する一部省略斜視図。
【図４】外壁パネルへ２次防水材を接着する工程を説明する一部省略断面図。
【図５】外壁パネル取付用金具を用いて、２次防水部材が取付けられた外壁パネルを軸組に固定する工程を説明する一部省略断面図。
【図６】２次防水部材が取付けられた外装パネルが軸組に固定された状態を示す一部省略断面図。
【図７】２次防水部材を構成する第１シート体及び第２シート体夫々の幅方向の他端を外壁パネルより剥離する工程を説明する一部省略断面図。
【図８】２次防水部材を構成する第１シート体及び第２シート体夫々の幅方向の他端を接合する工程を説明する一部省略断面図。
【図９】２次防水部材を構成する第１シート体と第２シート体とを縦目地の屋内側へ収納する工程を説明する一部省略断面図。
【図１０】２重防水構造の全体構成を説明する図であり、外壁縦目地の外れ防止部材が設置されている位置における一部省略断面図。
【図１１】従来の縦目地防水に用いられる外壁目地ガスケットの一例を示す図。
【発明を実施するための形態】
【００２６】
以下、外壁目地の２次防水部材１、外壁目地の２重防水構造２、及び外壁目地の２重防水構造施工方法の最良の実施形態について、各図を参照しつつ説明する。外壁目地の２次防水部材１及び外壁目地の２重防水構造２が用いられる外壁は、図１に示すように、複数の外壁パネル３ａ、３ｂ（以下、特に区別の必要のない場合は、外壁パネル３と表す。）を建物の構造躯体を構成する軸組４に外壁パネル取付用金具５を用いて固定して形成される。外壁パネル３は、矩形平板状に形成された例えば樹脂系、セメント系、セラミック系、又は金属系のサイディング材である。この外壁パネル３の周縁の屋内側にはこの外壁パネル３を建物の梁や柱に固定するために断面Ｕ型の金属枠６が目地方向に開口して取り付けられている。
【００２７】
この外壁パネル３を軸組４に固定する外壁パネル取付用金具５は、軸組４に固定され、軸組４から屋外方向に突出する基部７と、基部７を軸として回転可能に固定されており、外壁パネル３の金属枠６を軸組４との間に挟持するパネル固定部８と、このパネル固定部８を回転動作させる操作部９とを備える。外壁パネル３を固定する際には、軸組４に外壁パネル３の金属枠６を押し当てて、外壁パネル取付用金具５の操作部９を操作してパネル固定部８を回転させ、パネル固定部８と軸組４とで外壁パネル３の金属枠６を挟持して固定する。このとき、操作部９は、外壁パネル３間の縦目地の奥に位置するように構成されている。したがって、屋外側から目地内にドライバなどの工具を挿入しつつ操作することにより、外壁パネル３を屋外側から取り付けることができ、また、リフォームなどの際にも外壁パネル３を屋外側から取り外すことができる。
【００２８】
外壁目地の２重防水構造２は、このような外壁パネル３間の縦目地に配置されるものであって、外壁パネル３間の縦目地を通過して建物の屋内側に雨水等が侵入することを防止するものである。この外壁目地の２重防水構造２は、図１に示すように、外壁パネル３間の縦目地に圧入される１次防水部材１０と、縦目地の屋内側に配置される２次防水部材１とにより構成される。
【００２９】
１次防水部材１０は、図１及び図２に示すように、縦目地に水密的に圧入される本体１１と、この本体１１が縦目地から脱落することを防止する複数の外れ防止部材１２から成る。本体１１は、例えばポリ塩化ビニル等の水密性及び弾性を有する材料で形成されており、目地幅に対し圧入可能であることを条件に当該目地幅よりも幅広の長手形状に形成されている。この本体１１の内部は複数の空間が形成されており、縦目地にこの本体１１を圧入したときには、この本体１１が弾性変形して縦目地をシールすることができる。また、縦目地に圧入した際に屋内側になる部分には、先端が膨らんだ凸条１３が形成されている。外れ防止部材１２は、本体１１の凸条１３に一定間隔で固定される弾性体であって、目地幅に屋外側から挿入可能であることを条件に当該縦目地よりも広くひろがって外壁パネル３の屋内側面に引っ掛かる係止部１４と、凸条１３を嵌め込む嵌着部１５と、係止部１４及び嵌着部１５を連結する連結部１６とから構成されている。このような１次防水部材１０は、図１０に示すように、本体１１の凸条１３に所定間隔で外れ防止部材１２を固定した状態で、縦目地に圧入されることにより縦目地に固定される。
【００３０】
外壁目地の２次防水部材１は、図１及び図３に示すように、縦目地の屋内側に収納される防水部材である。この外壁目地の２次防水部材１は、帯状に形成されたフィルム状の第１シート体１７と第２シート体１８とにより構成される。この第１シート体１７及び第２シート体１８は、例えばポリプロピレンのような軟質樹脂により形成されており、透明であり、柔軟性、防水性を有すると共に、長さが例えば外壁パネル３の高さとほぼ等しく、幅が例えば６０ｍｍ程度に形成されており、図７に示すように、夫々の一端１９、２０が外壁パネル３の屋内面２１に接着された状態で、他端２２、２３を縦目地の屋外側に露出可能に形成されている。
【００３１】
また、第１シート体１７の一端１９、及び第２シート体１８の一端２０の外縁より２ｍｍ程度内側には、夫々、図外の剥離紙が貼り付けられている幅１０ｍｍ程度の両面テープ１９ａ、２０ａが貼り付けられており、この両面テープ１９ａ、２０ａは、第１シート体１７及び第２シート体１８を外壁パネル３の屋内面２１に接着する際に使用される。更に、第１シート体１７の他端２２の外縁より２ｍｍ程度内側かつ、両面テープ１９ａが貼り付けられている面と反対側の面には、図外の剥離紙が貼り付けられている幅１０ｍｍ程度の両面テープ２２ａが貼り付けられており、この両面テープ２２ａは、第１シート体１７の他端２２を第２シート体１８の他端２３と接合する際に使用される。なお、第１シート体１７及び第２シート体１８の外壁パネル３への接着、或いは第１シート体１７の他端２２の第２シート体１８の他端２３との接合を、接着剤を使用する等その他の方法により行う場合、両面テープ１９ａ、２０ａ、２２ａは不要であり、これらを第１シート体１７或いは第２シート体１８に貼り付ける必要はない。
【００３２】
以上のように構成される外壁目地の２次防水部材１、及び外壁目地の２重防水構造２を施工する際には、まず建物の軸組４に固定される前の外壁パネル３に外壁目地の２次防水部材１を水密性を有して接着する。具体的には、図４（Ａ）に示すように外壁パネル３ａの金属枠６が取付けられている屋内面２１の縁に第１シート体１７の一端１９を、同図（Ｂ）に示すように外壁パネル３ｂの金属枠６が取付けられている屋内面２１の縁に第２シート体１８の一端２０を、夫々両面テープ１９ａ、２０ａに貼り付けられている剥離紙を剥がして接着する。なお、前記接着は水密性を有していることを条件に、任意の方法により行ってよく、例えば、接着剤を使用したり、溶着により行ってもよい。
【００３３】
また、夫々の一端１９、２０が外壁パネル３の屋内面２１に接着された状態で、他端２２、２３を縦目地の屋外側に露出可能に形成されている第１シート体１７及び第２シート体１８の他端２２、２３を、外壁パネル３の屋外面２４に剥離可能に接着する。具体的には、図４（Ａ）に示すように外壁パネル３ａの屋外面２４の縁には第１シート体１７の他端２２を、図４（Ｂ）に示すように外壁パネル３ｂの屋外面２４の縁には第２シート体１８の他端２３を、夫々剥離可能であることを条件に接着剤を使用する等、任意の方法で接着する。このように剥離可能に接着することにより、後に外壁パネル３を軸組４に固定する際に、縦目地の屋内側に第１シート体１７の他端２２及び第２シート体１８の他端２３が入り込むことを防止することができる。
【００３４】
次に、図５に示すように、外壁パネル３を建物の軸組４に固定する。具体的には、軸組４に外壁パネル取付用金具５を取り付け、外壁パネル３の金属枠６の屋内側面を軸組４に当接させる。そして、外壁パネル取付用金具５の操作部９を操作してパネル固定部８を回転させ、このパネル固定部８を金属枠６の屋外側面に当接させ、このパネル固定部８と軸組４とで金属枠６を挟持して固定する。これにより、図６に示すように、第１シート体１７が接着された外壁パネル３ａの縁と、第２シート体１８が接着された外壁パネル３ｂの縁との間に縦目地が形成される。
【００３５】
次に、図７に示すように、第１シート体１７の他端２２と、第２シート体１８の他端２３とを、夫々、剥離可能に接着されている外壁パネル３ａ、３ｂの屋外面２４より剥離する。その上で、図８に示すように、第１シート体１７の他端２２と第２シート体１８の他端２３とを、縦目地の屋外側で水密性を有して接合する。この接合は、第１シート体１７の他端２２に貼り付けられている両面テープ２２ａの剥離紙を剥がして行う。なお、前記接合は水密性を有していることを条件に、任意の方法により行ってよく、例えば、接着剤を使用したり、溶着により行ってもよい。また、前記接合は、樹脂ファスナーを用いた嵌合による接合等であってもよい。
【００３６】
次に、図９に示すように、接合された第１シート体１７の他端２２及び第２シート体１８の他端２３を、縦目地の屋内側に収納する。この状態で外壁目地の２次防水部材１は、縦目地の屋内側において、前記縦目地に面する外壁パネル３ａの屋内面２１の縁と外壁パネル３ｂの屋内面２１の縁との間を、防水性を有した第１シート体１７及び第２シート体１８によって水密性を有し封止するので、目地から侵入した水が屋内側にさらに侵入することを十分に抑制できる。また、第１シート体１７及び第２シート体１８は透明であるので、接合された第１シート体１７の他端２２及び第２シート体１８の他端２３を、縦目地の屋内側に収納した後においても、屋外側から外壁パネル取付用金具５を視認することができる。
【００３７】
そして、次に１次防水部材１０の外れ防止部材１２の嵌着部１５に本体１１の凸条１３を嵌め込む。このとき、外れ防止部材１２の位置が外壁パネル取付用金具５の位置からずれるように配置する。そして、図１０に示すように、１次防水部材１０を縦目地に圧入して、外れ防止部材１２が縦目地の奥まで挿入されるようにする。図１に示すように、外壁パネル取付用金具５が設置されている高さ位置には、外れ防止部材１２が配置されておらず、図１０に示すように外れ防止部材１２が配置されている建物の高さ位置には、外壁パネル取付用金具５が設置されていないので、お互いの部材が干渉しあって１次防水部材１０が上手く縦目地に挿入されないといった不具合を防止することができる。
【００３８】
以上のように、第１シート体１７及び第２シート体１８は、外壁パネル３を建物の軸組４に固定する前に、その一端１９、２０を外壁パネル３の屋内面２１の縁に水密性を有し接着され、またその他端２２、２３を外壁パネル３の屋外面２４の縁に剥離可能に接着される。そして、第１シート体１７及び第２シート体１８の他端２２、２３は、外壁パネル３を建物の軸組４に固定した後、縦目地の屋外側で接合される。以上により、外壁目地の２次防水部材１は、作業性良く縦目地を屋内側から覆って、２次防水を行うことができる。
【００３９】
また、第１シート体１７及び第２シート体１８は、それらの幅方向の他端２２、２３が縦目地より屋外側に露出可能であることにより、十分な幅を有しているので外壁目地の２次防水部材１と建物の下地材や外壁パネル取付用金具５との干渉を確実に抑えることができる。
【００４０】
なお、本発明の実施の形態は上述の形態に限ることなく、本発明の思想の範囲を逸脱しない範囲で適宜変更することができることは云うまでもない。例えば、１次防水部材を注入充填する湿式材としてもよく、本案で示した乾式の１次防水部材の外側に、更に湿式材を設置してもよい。
【産業上の利用可能性】
【００４１】
本発明に係る外壁目地の２次防水部材１、外壁目地の２重防水構造２、及び外壁目地の２重防水構造施工方法を用いると、外壁の縦目地をより確実に防水することができる外壁目地の２次防水部材１、外壁目地の２重防水構造２、及び外壁目地の２重防水構造施工方法として好適に用いることができる。
【符号の説明】
【００４２】
１  ２次防水部材
２  ２重防水構造
３、３ａ、３ｂ  外壁パネル
１０  １次防水部材
１７  第１シート体
１８  第２シート体
１９、２０  一端
２１  屋内面
２２、２３  他端
２４  屋外面
【図１】
2011174323.tif 000003
【図２】
2011174323.tif 000004
【図３】
2011174323.tif 000005
【図４】
2011174323.tif 000006
【図５】
2011174323.tif 000007
【図６】
2011174323.tif 000008
【図７】
2011174323.tif 000009
【図８】
2011174323.tif 000010
【図９】
2011174323.tif 000011
【図１０】
2011174323.tif 000012
【図１１】
2011174323.tif 000013